(57)【特許請求の範囲】
【請求項１】
給湯器のケーシングの外部に固定して配線コードを接続配線する接続端子台と、
上記接続端子台を覆って接続端子台の保護カバーを兼備する電線管接続体とを別体に備え、
上記ケーシングに対し上記電線管接続体を脱着可能に備えた給湯器のコード接続装置であって、
上記接続端子台は、端子接続部とコード挿通部とを区画し、かつ配線コードを挿通部側から端子接続部側へ通す凹溝を設けた仕切壁を備え、
前記仕切壁で区画された端子接続部側において配線コードの端子を接続端子部に接続しうることを特徴とする給湯器のコード接続装置。
【請求項２】
上記凹溝は、仕切壁の両側端部に１または複数箇所設けられ、配線コードを挟入保持する請求項１に記載の給湯器のコード接続装置。
【請求項３】
上記接続端子台の端子接続部を斜状に備えたことを特徴とする請求項１または２に記載の給湯器のコード接続装置。
【発明の詳細な説明】
【０００１】
【発明の属する技術分野】
この発明は、給湯器にリモコンコードを接続する際に使用する給湯器のコード接続装置に関する。
【０００２】
【従来の技術】
給湯器の設置工事に際し給湯器にリモコンコードを接続する場合、従来一般には、たとえば、図９に例示されているように、給湯器Ｄ′のフロントカバー１ａ′を取り外したケーシング１′の底面壁２′に備えた電線管接続部Ｂ′からリモコンコード８′をケーシング１′内に引き込んでケーシング１′内の一側に備えた端子接続部５′に接続してコードクランプ５ａ′で位置決め保持し、その後、フロントカバー１ａ′を再び取り付けるといった作業を要していた。
【０００３】
こうしたコード接続装置では作業性がよくないことから、最近フロントカバーを取り外すことなくリモコンコードが接続できる技術が提案されている。すなわち、給湯器にリモコンコードを接続するにあたり、接続端子台をケーシング外に露出させ、この露出した接続端子台にリモコンコードを接続した後、接続端子台を再びケーシング内に収納するものである。
上記露出手段としては、一側ヒンジ部を支点として下方へ９０度回動させることにより接続端子台をケーシング外に露出できるようにした構造のもの（たとえば、特開平９−１９９８７４号公報の図６、図７参照）又は接続端子台を下方へ直線的に引っ張り出して接続端子台をケーシング外に露出させる構造のもの（たとえば、特開平８−１６７４３７号公報の図１８、図１９参照）等がある。
【０００４】
【発明が解決しようとする課題】
しかしながら、上記従来の技術では、ケーシング外に露出された接続端子台に安定性がないので、接続作業時に接続端子台が動いてしまい作業がやりにくく、また、上記従来技術以外の場合でも接続端子台の接続部が壁で覆われているために接続作業がしずらいこともあって作業能率が著しく低下するという問題点があり、さらには、電線管接続部は接続端子台と一体で固定的となっているので、電線管の取付けに際してはユニオンねじを電線管接続部と電線管との間に設けるか、電線管の方を回転して螺着しなければならないことからその取付けにはコストアップもしくは困難性がともない、また、電線管を取付けない場合は電線管接続部から内部の端子接続部へ飛び跳ね侵入する雨水による短絡、腐蝕等のトラブルも多く発生するという問題点があった。
【０００５】
この発明の給湯器のコード接続装置は上記課題を解決し、接続端子台をケーシング外に設置し、この接続端子台に対し別体の電線管接続体を脱着可能に設けて端子及び電線管の接続が迅速、確実に、しかも、簡易に行えるようにするとともに、雨水によるトラブルへの配慮も十分とした給湯器のコード接続装置の提供を目的としている。
【０００６】
【課題を解決するための手段】
上記課題を解決するこの発明の請求項１の給湯器のコード接続装置は、
給湯器のケーシングの外部に固定して配線コードを接続配線する接続端子台と、
上記接続端子台を覆って接続端子台の保護カバーを兼備する電線管接続体とを別体に備え、
上記ケーシングに対し上記電線管接続体を脱着可能に備えた給湯器のコード接続装置であって、
上記接続端子台は、端子接続部とコード挿通部とを区画し、かつ配線コードを挿通部側から端子接続部側へ通す凹溝を設けた仕切壁を備え、
前記仕切壁で区画された端子接続部側において配線コードの端子を接続端子部に接続しうることを要旨とする。
【０００８】
上記課題を解決するこの発明の請求項２の給湯器のコード接続装置は、上記請求項１の給湯器のコード接続装置において、
上記凹溝は、仕切壁の両側端部に１または複数箇所設けられ、配線コードを挟入保持することを要旨とする。
【０００９】
上記課題を解決するこの発明の請求項３の給湯器のコード接続装置は、上記請求項１または２の給湯器のコード接続装置において、
上記接続端子台の端子接続部を斜状に備えたことを要旨とする。
【００１０】
上記構成を有するこの発明の請求項１記載の給湯器のコード接続装置は、給湯器のケーシングの外部に固定される接続端子台と該接続端子台の保護カバーを兼備する電線管接続体とを別体に設けて、接続端子台に対し電線管接続体を脱着自由としたから、接続端子台に対するコードの接続作業が迅速、確実に、しかも、簡易に行えるとともに、電線管接続体に対する電線管の接続も電線管接続体を回転して螺着できるから、その取付けも容易に行いうる。この結果、作業性は向上し、作業能率も倍加する。
【００１１】
上記構成を有するこの発明の給湯器のコード接続装置は、接続端子台の端子接続部とコード挿通部とが仕切壁で区画されいるので、端子接続部へ雨水が電線管接続部から飛び跳ね侵入することはない。この結果、雨水による端子接続部の短絡、腐蝕等の弊害は生じない。
【００１２】
上記構成を有するこの発明の請求項２記載の給湯器のコード接続装置は、凹溝は、仕切壁の両側端部に１または複数箇所設けられ、配線コードが挟入保持できるので、この凹溝に配線コードを嵌め込んで保持することでコード端子部に負荷をかけることがない。この結果、従来のコードクランプで止めるものに比べ作業性は著しく向上しクランプ用部品も不要となる。
【００１３】
上記構成を有するこの発明の請求項３記載の給湯器のコード接続装置は、接続端子台の端子接続部を斜状に設けたので、たとえば、高層集合住宅のパイプシャフト扉内設置の場合に取付けボックスを用いると、そのボックスが邪魔になってネジ締めができなくなるが、取付けボックスがあってもドライバー等の締付け工具によるネジ締めが支障なく行える。この結果、端子接続部に対するコードの接続作業がどのような設置条件に対しても的確、かつ、容易に行いうる。
【００１４】
【発明の実施の形態】
以上説明したこの発明の構成、作用を一層明らかにするために、以下にこの発明の給湯器のコード接続装置の好適な実施の形態の一例について図面を参照して詳細に説明する。
【００１５】
図１〜図８において、Ａは給湯器のケーシングの外部に固定してコードを接続配線する接続端子台で、給湯器Ｄのケーシング１の底面壁２に締め付けネジ３によりその取付座４を介して締め付け固定される。この接続端子台Ａは一側に斜状θの端子接続部５を有し、他側にはコード挿通部６を中間の仕切壁７で区画して備えており、上記仕切壁７の両側端部に配線コード８、９を挟入保持する凹溝１０、１１を備え、下部一側端には後述する電線管接続体Ｂをネジ止めするためのネジ孔１２を備えている。図中１ａはフロントカバーである。
【００１６】
上記コード挿通部６の上端短筒部６ａはケーシング１の底面壁２を貫通してケーシング１内に開口され、また、上記凹溝１０、１１のうち一方の凹溝１０は、たとえば、リモコンコード８の外径より若干小さい内径の半円状凹溝１０とし、この凹溝１０にリモコンコード８をきつ目に嵌め込んで保持することで従来のコードクランプと同様の効果をもたせコード端子部８ａに負荷をかけないようにするものであり、また、他方の凹溝１１は上記端子接続部５からバーコン（バーナコントローラ）Ｃまでのリード線９を嵌めつけ保持する凹溝１１とし、この凹溝１１にリード線９を嵌めつけ保持することで後述する電線管接続部Ｂを取付けるときにリード線９をかまないようにするものである。図中１３はリモコンコード側の接続端子、１４はリード線側の接続端子、１５は締付けビスである。
【００１７】
Ｂは上記接続端子台Ａを覆って接続端子台Ａの保護カバーを兼備する電線管接続体で、上記接続端子台Ａとは別体に形成され、下部一側寄りに電線管１６を接続するための接続螺管１７を有し、その上部には上記接続端子台Ａを覆う箱体１８を備え、この箱体１８の一側下部に上記接続端子台Ａのネジ孔１２に適合するネジ挿通孔１９を備え、箱体１８の上端一側には上記ケーシング１の底面壁２に起立状に備えた引掛片２０に引掛けて位置決め支持する支持突部２１を一体に備えた構成となっている。なお、上記支持突部２１はケーシング１の底面壁２に穿った挿通孔２２に下方から挿通して引掛片２０に引掛けるものである。
【００１８】
そこで、ケーシング１の底面壁２に予め固定配線された接続端子台Ａに対し上記電線管接続体Ｂを下方から被せ支持突部２１を引掛片２０に引掛けて電線管接続体Ｂをケーシング１の底面壁２に上縁のフランジ部２３を介して押し当てネジ挿通孔１９から止めネジ２４を挿入してネジ孔１２に螺合し締めつければ、接続端子台Ａに対する電線管接続体Ｂの取付けが行え、止めネジ２４を外せば電線管接続体Ｂの取り外しが行えるものである。なお、上記電線管１６は可撓体で形成され屈曲自由となっている。この電線管１６を上記電線管接続体Ｂに接続するときは、電線管接続体Ｂを回転して螺着接続するものである。
【００１９】
上記構成において、給湯器Ｄのケーシング１の底面壁２に止めネジ３で固定され下方に露出している接続端子台Ａの端子接続部５にバーコンに接続されたリード線９とリモコンコード８とを接続端子１３、１４を介して締付けビス１５により締めつけ接続した後、リモコンコード８は一方の凹溝１０に、リード線９は他方の凹溝１１にそれぞれ嵌めつけて挟入保持し、次いで、電線管接続体Ｂを上記接続端子台Ａに被せるように取付ければ、コード配線工事は完了するものである。図中２５電源コードで、電線管接続体Ｂと接続端子台Ａ内を素通りして配線される。
【００２０】
図７は扉内設置型給湯器Ｄを高層集合住宅のパイプシャフトに取付けボックスを用いて設置した場合の一例であって、２６は取付けボックス、２７は給湯器Ｄの上部取付け金具、２８は給湯器Ｄの下部取付け金具、１６は可撓電線管、２９はガス管、３０は給湯管、３１は給水管である。
この場合、接続端子台Ａの端子接続部５が斜状になっているので、ドライバー等の締付け工具３２による接続端子のネジ締めが容易にできるものである。
【００２１】
以上この発明の実施の形態の一例について説明したが、この発明はこうした実施の形態に何等限定されるものではなく、この発明の要旨を逸脱しない範囲において種々なる形態で実施しうることは勿論である。
【００２２】
【発明の効果】
この発明は、以上説明したような形態で実施され、以下に記載されるような効果を奏する。
【００２３】
この発明の請求項１記載の給湯器のコード接続装置によれば、給湯器のケーシングの外部に接続端子台を露出固定したから、接続端子台に対するコードの接続作業が迅速、確実に、しかも、簡易に行いうる。また、上記接続端子台と電線管接続体とを別体に設けて接続端子台に対し電線管接続体を脱着自由としたから、電線管接続体に対する電線管の接続は電線管接続体を回転して螺着接合できる。さらに、接続端子台を電線管接続体で覆って保護するから、安全性も倍加する。
【００２４】
この発明の給湯器のコード接続装置によれば、接続端子台の端子接続部とコード挿通部とが仕切壁で区画され、配線コードを挿通部側から端子接続部側へ仕切壁の凹溝を通して端子接続部側で端子を接続部に接続するから、電線管接続体に電線管を接続しない場合、この電線管接続体から飛び跳ね侵入する雨水が端子接続部に至ることはない。したがって、屋外壁掛け設置の場合にあっても端子接続部の雨水の侵入による短絡、腐蝕等の弊害は未然に防止され安全性、耐久性は向上する。
【００２５】
この発明の請求項２記載の給湯器のコード接続装置によれば、凹溝は、仕切壁の両側端部に１または複数箇所設けられ、配線コードが挟入保持できるので、この凹溝に配線コードを嵌め込んで保持することでコード端子部に負荷をかけることはない。したがって、従来のコードクランプで止めるものに比べ作業性は向上しクランプ用部品も不要なためコストダウンできる。また、接続端子台に対する電線管接続体の取付け時にリード線を損傷することもない。
【００２６】
この発明の請求項３記載の給湯器のコード接続装置によれば、接続端子台の端子接続部を斜状に設けたので、たとえば、給湯器を高層集合住宅のパイプシャフト扉内設置する場合でもドライバー等の締付け工具によるネジ締めが支障なく行える利便がある。
【図面の簡単な説明】
【図１】この発明の給湯器のコード接続装置の一例を示した一部切断側面図である。
【図２】図１のＸ−Ｘ線における同切断正面図である。
【図３】図１のＹ−Ｙ線における同切断仰視図である。
【図４】接続端子台と電線管接続体及び電線管とを分離して示した断面図である。
【図５】給湯器に取付けられた接続端子台に対し電線管接続体を分離して示した正面図である。
【図６】同側面図である。
【図７】給湯器をパイプシャフト扉内に設置した場合の一例を示した側面図である。
【図８】コード接続装置の取付け状態の一例を示した正面図である。
【図９】従来例を示した正面図である。
【符号の説明】
Ａ…接続端子台
Ｂ…電線管接続体
Ｄ…給湯器
１…ケーシング
５…端子接続部
６…コード挿通部
７…仕切壁
８、９…コード
１０、１１…凹溝
【図１】
0004002361.tif 000002
【図２】
0004002361.tif 000003
【図３】
0004002361.tif 000004
【図４】
0004002361.tif 000005
【図５】
0004002361.tif 000006
【図６】
0004002361.tif 000007
【図７】
0004002361.tif 000008
【図８】
0004002361.tif 000009
【図９】
0004002361.tif 000010